(57)【特許請求の範囲】
【請求項１】
環状の基部と、
前記基部における中心軸線の一方向の側の端部の内径よりも小さい外径を有する円柱状の釦本体部と、
前記端部と前記釦本体部とを連結し、内周面に内方に向かい突出する周リブを有する柔軟な環状のスカート部と、
を備え、
前記釦本体部を前記一方向と反対の他方向に移動して少なくとも一部が前記端部を通過した状態で、前記スカート部は、前記他方向に凸となる屈曲部が形成されて前記周リブが外方を向くよう変形することを特徴とする防水キャップ。
【請求項２】
前記スカート部は、前記端部から内方に延出する鍔部と、前記鍔部の内周縁部から前記一方向に延出した帯環部と、により前記釦本体部の底面縁部と連結し、前記周リブは前記帯環部の内周面に位置することを特徴とする請求項１に記載の防水キャップ。
【請求項３】
請求項１又は請求項２に記載の防水キャップを、筐体が有する孔に取り付ける防水キャップ取付構造であって、
前記孔の内径は、前記釦本体部の外径よりも大きく、
前記釦本体部を前記孔の内側に進入させることで、前記スカート部に前記屈曲部が形成されて前記周リブが外方を向き前記孔の内周面と対向すると共に、前記孔に対し強嵌合となって前記周リブが前記内周面に付勢当接することを特徴とする防水キャップの取付構造。
【請求項４】
筐体及び前記筐体内に収められた１ＰＩＮジャックを備えた電子機器であって、
前記筐体は、前記１ＰＩＮジャックを外部から臨める孔を有し、
前記孔を塞口するキャップを請求項１又は請求項２に記載の防水キャップとしたときに、
前記孔の内径は、前記釦本体部の外径よりも大きく、
前記釦本体部を前記孔の内側に進入させることで、前記スカート部に前記屈曲部が形成されて前記周リブが外方を向き前記孔の内周面と対向すると共に、前記孔に対し強嵌合となって前記周リブが前記内周面に付勢当接するよう構成されていることを特徴とする電子機器。
【発明の詳細な説明】
【技術分野】
【０００１】
本発明は、防水キャップ，防水キャップ取付構造，及び電子機器に係る。特に、ジャックを備えた電子機器に対しジャックの孔を覆うように取り付けられる防水キャップ及びその取付構造と、ジャックの孔を覆う防水キャップを着脱可能とした電子機器と、に関する。 
【背景技術】
【０００２】
ジャックを備えた電子機器の筐体には、ジャックにプラグを接続可能とすべく開口部が形成されている。
一般に、電子機器が屋外使用を前提とした携帯無線機の場合、防塵や防水のために開口部を塞ぐキャップが用意されている。ユーザは、ジャックを使用しない場合、キャップを開口部に取り付けて塞いでおく、というのが、携帯無線機の通常の使用態様となっている。
【０００３】
このようなキャップ及びキャップの開口部への取付構造が特許文献１に記載されている。
【先行技術文献】
【特許文献】
【０００４】
【特許文献１】特開２０００−０１３０５１号公報
【発明の概要】
【発明が解決しようとする課題】
【０００５】
特許文献１に記載されたキャップは、周囲にひだ形状部が形成されている。これにより、キャップを開口部に嵌合挿入させた際に、ひだ形状部が開口部の壁面に常に接触して防水性が得られる、とされている。
【０００６】
しかしながら、特許文献１に記載されたキャップは、開口部への挿入と抜去との両方においてひだ形状部が壁面に対し摺動するものである。
そのため、キャップを開口部へ繰り返し装脱すると、ひだ形状部の変形或いは破損が生じて防水性能が低下する虞がある。
【０００７】
また、特許文献１に記載されたキャップは、ひだ形状部の壁面への常接触で防水性を得ようとするものであって積極的に壁面を押圧するものではない。
そのため、キャップに対する外力付与で、防水ラインと称される防水部位が容易に決壊して防水性が得られなくなる、更にはキャップが外れる、などの不具合が生じ易いことが推察される。
【０００８】
そこで、本発明が解決しようとする課題は、高い防水性が得られ外れにくい防水キャップ及び防水キャップの取付構造と、防水キャップを、高い防水性をもって外れにくく取り付けることができる電子機器と、を提供することにある。
【課題を解決するための手段】
【０００９】
上記の課題を解決するために、本発明は次の構成を有する。
１）  環状の基部と、
前記基部における中心軸線の一方向の側の端部の内径よりも小さい外径を有する円柱状の釦本体部と、
前記端部から前記一方向に延出して前記釦本体部と連結し、内周面に内方に向かい突出する周リブを有する柔軟な環状のスカート部と、
を備え、
前記釦本体部を前記一方向と反対の他方向に移動して少なくとも一部が前記端部を通過した状態で、前記スカート部は、前記他方向に凸となる屈曲部が形成されて前記周リブが外方を向くよう変形することを特徴とする防水キャップである。
２）  １）に記載の防水キャップを、筐体が有する孔に取り付ける防水キャップ取付構造であって、
前記孔の内径は、前記釦本体部の外径よりも大きく、
前記釦本体部を前記孔の内側に進入させることで、前記スカート部に前記屈曲部が形成されて前記周リブが外方を向き前記孔の内周面と対向すると共に、前記孔に対し強嵌合となって前記周リブが前記内周面に付勢当接することを特徴とする防水キャップの取付構造である。
３）  筐体及び前記筐体内に収められた１ＰＩＮジャックを備えた電子機器であって、
前記筐体は、前記１ＰＩＮジャックを外部から臨める孔を有し、
前記孔を塞口するキャップを１）に記載の防水キャップとしたときに、
前記孔の内径は、前記釦本体部の外径よりも大きく、
前記釦本体部を前記孔の内側に進入させることで、前記スカート部に前記屈曲部が形成されて前記周リブが外方を向き前記孔の内周面と対向すると共に、前記孔に対し強嵌合となって前記周リブが前記内周面に付勢当接するよう構成されていることを特徴とする電子機器である。
【発明の効果】
【００１０】
本発明によれば、防水キャップ及び防水キャップの取付構造において、高い防水性が得られ外れにくい、という効果を奏する。また、電子機器において、取り付けた防水キャップが外れにくく、高い防水性が得られる、という効果を奏する。
【図面の簡単な説明】
【００１１】
【図１】図１は、本発明の実施の形態に係る電子機器の実施例である無線機５１を説明するための前面図である。
【図２】図２は、無線機５１の部分上面図である。
【図３】図３は、図２におけるＳ３−Ｓ３位置での部分断面図である。
【図４】図４は、本発明の実施の形態に係る防水キャップの実施例であるキャップ３の自然状態を説明するための三面図である。
【図５】図５は、図４におけるＳ５−Ｓ５位置での断面図である。
【図６】図６は、自然状態のキャップ３を無線機５１に取り付ける作業における第１段階を終了した時点での部分断面図である。
【図７】図７は、キャップ３の取付作業における第２段階の途中状態（進入途中状態）を説明するための部分断面図である。
【図８】図８は、キャップ３の取付作業を終了した時点での部分断面図である。
【図９】図９は、図７で示された状態を説明するための部分拡大図である。
【図１０】図１０は、図８で示された状態を説明するための部分拡大図である。
【図１１】図１１は、キャップ３を無線機５１から取り外す作業を説明するための部分断面図である。
【図１２】図１２は、キャップ３を無線機５１に取付ける作業における第２段階の途中状態（ａ）及び取付終了状態（ｂ）を説明するための無線機５１の部分前面図である。
【発明を実施するための形態】
【００１２】
図１は、実施例の無線機５１を説明するための概略前面図である。図２は、図１に示された無線機５１の左上部分の上面図である。図３は、図２におけるＳ３−Ｓ３位置での部分断面図である。
以下の説明において、上下左右の各方向は、図１及び図２に矢印で規定した方向とする。従って、前後方向は図１の紙面直交方向であり、表面側が前方、裏面側が後方となる。
【００１３】
無線機５１は、いわゆるハンディトランシーバなどと称される携帯型の無線機である。
無線機５１は、上下に長く前後に薄い略直方体形状の筐体１を有する。
筐体１は、上面１ａの左部にジャック部２を有する。ジャック部２は、上部が上面１ａから突出して筐体１に取り付けられたナット２ａと、筐体１内に収められた１ＰＩＮジャック２ｂ（以下、単にジャック２ｂと称する）と、を有する。
ジャック２ｂには、ナット２ａの孔２ａ１を通して、例えばイヤホンマイクの１ＰＩＮプラグが挿抜自在に装着される。
ナット２ａは外周面に雄ねじ部を有する。１ＰＩＮプラグが雌ねじを有するロックリング付きである場合に、ロックリングをナット２ａに螺合して、１ＰＩＮプラグを、ジャック２ｂから抜けないように装着できる。
【００１４】
筐体１は、左側面１ｂの上部に、左方に向け突出したポケット部１ｃを有する。
ポケット部１ｃは、上側が開口し、孔２ａ１の中心軸線ＣＬ２に平行に下方に延びる袋状の空間部Ｖｃを形成している。
【００１５】
筐体１は、ジャック部２を覆い孔２ａ１を塞口するキャップ３を着脱自在に取り付け可能である。例えば、ユーザは、ジャック２ｂの不使用時に、ジャック２ｂから筐体１の内部に水や塵埃が進入しないようキャップ３を筐体１に取り付ける。
キャップ３と、ナット２ａと、筐体１の上面１ａ及びポケット部１ｃと、は、キャップ３の取付構造ＴＫ（図６参照）を構成する。
【００１６】
キャップ３の自然状態における外観形状は、図４及び図５に示される。
図４は、キャップ３の三面図である。図４（ａ）が前面図、図４（ｂ）が左側面図、図４（ｃ）が上面図である。図５は、図４（ｃ）におけるＳ５−Ｓ５位置での断面図である。
【００１７】
キャップ３の材料は、ゴムであり、例えばエチレン−プロピレン−ジエンゴム（ＥＰＤＭ）である。
【００１８】
キャップ３は、基部３ａ、腕部３ｂ、及び釦部３ｃを有する。
基部３ａは、中心軸線ＣＬ３の一方側（図５の下側）に開口した端部３ａｔ、他方側（上側）に縮径した端部３ａｔ２を有して環状を呈する。
腕部３ｂは、基部３ａから径方向外方かつ下方に、外凸形状で湾曲して張り出した湾曲部３ｂ１と、湾曲部３ｂ１の先端から中心軸線ＣＬ３と平行に下方に板状に延在し、ポケット部１ｃの空間部Ｖｃに装着される装着部３ｂ２と、を有する。
【００１９】
装着部３ｂ２とポケット部１ｃとは、手で装着部３ｂ２を挿抜可能な程度の強嵌合になっている。
【００２０】
基部３ａは、環状の内面として、一端側（下側）の端部３ａｔ１に内周面３ａ１を有し、他端側（上側）の端部３ａｔ２に、内周面３ａ１よりも小径の内周面３ａ２を有する。
内周面３ａ１の内径Ｄ１は、ジャック部２のナット２ａの外径Ｄ２（図３参照）よりも少し大きい。
【００２１】
釦部３ｃは、内周面３ａ２の全周に亘って連結し基部３ａの他端側を塞いでいる。詳細には、釦部３ｃは、概ね円柱状の釦本体部３１と、釦本体部３１の下面３１ａから釦本体部３１の外径よりも小さい外径で下方に向け突出する円柱状の突出部３２と、釦本体部３１と基部３ａとを連結するスカート部３３と、を有する。
【００２２】
釦本体部３１は、外周面３１ｂとして、円周面３１ｃ及び傾斜周面３１ｄを有する。
円周面３１ｃは、外周面３１ｂの上側に位置する中心軸線ＣＬ３と平行な周面部分である。
傾斜周面３１ｄは、円周面３１ｃの下側に位置し、下方に向かうに従って拡径する周面部分である。
【００２３】
釦本体部３１の外周面３１ｂにおける最大径となる部位を、周凸部３１ｔとする。この例において、周凸部３１ｔは、釦本体部３１の下端縁部、すなわち、傾斜周面３１ｄの下端部である。
【００２４】
スカート部３３は、釦本体部３１の下面３１ａの周縁部位から下方に環状に延出した帯環部３３ａと、帯環部３３ａの下縁から径方向外方に全周で鍔状に延出し、基部３ａの内周面３ａ２に全周に亘って連結した連結鍔部３３ｂと、を有する。
帯環部３３ａの中心軸線ＣＬ３３は、基部３ａの中心軸線ＣＬ３と一致している。
【００２５】
帯環部３３ａ及び連結鍔部３３ｂは、柔軟であり、外力に対し容易に変形する。帯環部３３ａ及び連結鍔部３３ｂは、例えば、基部３ａの平均肉厚よりも薄肉とされる。
【００２６】
帯環部３３ａの延出方向は、例えば中心軸線ＣＬ３と平行である。
帯環部３３ａの外径Ｄ３は、端部３ａｔ２の内径Ｄ４及びナット２ａの孔２ａ１の内径Ｄ５よりも小さい。
この例で、外径Ｄ３は、周凸部３１ｔの外径と一致しているので、釦本体部３１の外径は、端部３ａｔ２の内径Ｄ４よりも小さい。
連結鍔部３３ｂは、内周面３ａ２の下方縁部と連結している。
【００２７】
帯環部３３ａは、自然状態で、内周面３３ａ１から中心軸線ＣＬ３に向け全周に亘り突出する周リブ３３ｃを有する。周リブ３３ｃの断面形状は限定されず、例えば半円形状である。
帯環部３３ａにおける周リブ３３ｃの上下方向位置は、例えば、中央よりも連結鍔部３３ｂ側に寄った位置である。
帯環部３３ａにおける外周面３３ａ２と周リブ３３ｃの先端との間の肉厚を、厚さｔ１とする。
【００２８】
既述のように、ユーザは必要に応じ、キャップ３を、ジャック部２を覆うように筐体１に取り付ける。
図６は、キャップ３を筐体１に取り付けた状態の無線機５１を示す部分断面図であり、図３に対応する図である。
【００２９】
キャップ３の取り付けには、二つの段階がある。
第１段階は、腕部３ｂにおける装着部３ｂ２のポケット部１ｃへの挿入による、基部３ａの取り付け段階であり、第２段階は、釦本体部３１の押し込みによる、防水ライン形成段階である。
【００３０】
（第１段階−基部３ａの取付段階：図６参照）
ユーザは、まず、ナット２ａの中心軸線ＣＬ２と基部３ａの中心軸線ＣＬ３とを概ね位置合わせし、キャップ３の腕部３ｂにおける装着部３ｂ２を、上方からポケット部１ｃに挿入しつつキャップ３全体を下方へ押し込む（矢印ＤＲ１参照）。
【００３１】
この押し込みで、基部３ａの下端面３ａ３が筐体１の上面１ａに当接する、又は、図６に示されるように、基部３ａの上側の縮径した部分の下面３ａ４がナット２ａの先端面２ａ２に当接することで、基部３ａの取り付け段階が終了する。
【００３２】
（第２段階−防水ライン形成段階：図７参照）
第１段階終了後、ユーザは、釦本体部３１を指Ｆなどで下方へ押し込む（矢印ＤＲ２参照）。
すなわち、ユーザは、釦本体部３１をナット２ａの孔２ａ１の内部へ進入させる。
図７は、釦本体部３１が指Ｆによって下方に押し込まれ、突出部３２の下部が、孔２ａ１に進入した進入途中状態を示している。
【００３３】
釦本体部３１の孔２ａ１への進入が開始すると、帯環部３３ａが下方に下がるのに伴い連結鍔部３３ｂが下方に折れ曲がる。
連結鍔部３３ｂが下方に折れ曲がると、帯環部３３ａに、下方に凸となる屈曲部Ｋが形成される。屈曲部Ｋは全周に亘って稜線となる部位である。
【００３４】
屈曲部Ｋは、釦本体部３１の下方移動の開始時は、帯環部３３ａにおける連結鍔部３３ｂ側に生じ、釦本体部３１の下方移動が進行するに伴い、帯環部３３ａにおける釦本体部３１側に移動する。
図７に示される進入途中状態では、屈曲部Ｋは、周リブ３３ｃを過ぎ、帯環部３３ａにおける周リブ３３ｃと釦本体部３１側の根本との間に位置している。
【００３５】
図７に示される進入途中状態で、帯環部３３ａにおける屈曲部Ｋよりも連結鍔部３３ｂ側の部分は、内面と外面とが反転している。
すなわち、自然状態で内側を向いていた、周リブ３３ｃの形成面である内周面３３ａ１は、進入途中状態で屈曲部Ｋよりも連結鍔部３３ｂ側の部分が外側を向き、孔２ａ１の内周面２ａ１ａと対向する。
【００３６】
釦本体部３１の下方移動がさらに進むと、周リブ３３ｃの上下方向位置を、周凸部３１ｔが通過する。
図９は、周凸部３１ｔが、丁度、周リブ３３ｃの位置に達した状態を示す半断面図である。
【００３７】
キャップ３は、図５に示される自然状態で、帯環部３３ａの外周面３３ａ２と周リブ３３ｃの先端との間の厚さｔ１の２倍と、周凸部３１ｔの外径Ｄ３と、の加算値αが、ナット２ａの孔２ａ１の内径Ｄ５よりも大きく設定されている。
すなわち、α＝ｔ１×２＋Ｄ３＞Ｄ５  である。
【００３８】
これにより、図９において、周リブ３３ｃは、孔２ａ１の内周面２ａ１ａに付勢当接する。さらに、周凸部３１ｔが周リブ３３ｃの位置を上方から下方に向け通過するときに、押し込み抵抗が生じる。
【００３９】
ナット２ａは金属製であり実質的に変形しない。
一方、キャップ３はゴム製であって圧縮方向にある程度弾性を有する。従って、ユーザが抵抗に抗して釦本体部３１を強く下方に押し込むことで、周リブ３３ｃは厚さ方向に弾性圧縮して厚さｔ１が厚さｔ１ａに縮まり、釦本体部３１の周凸部３１ｔの外径Ｄ３も、径方向に縮まって外径Ｄ３ａとなる。
この弾性圧縮により、周凸部３１ｔは、周リブ３３ｃの位置を通過して下方に移動できる。
また、ユーザは、釦本体部３１を押し込むと、周凸部３１ｔが周リブ３３ｃの位置を通過するときにクリック感を得る。
【００４０】
ユーザが、釦本体部３１をさらに押し込むと、屈曲部Ｋが帯環部３３ａのほぼ根本に達して、押し込みができなくなり、第２段階の防水ライン形成段階が終了する。
この押し込みが終了した状態（以下、押し込み終了状態と称する）が、図８及び図１０に示される。
図１０は、図８における周リブ３３ｃ近傍を拡大して詳細を示した部分断面図である。
【００４１】
図１０に示されるように、釦本体部３１において、周リブ３３ｃの上下位置に対応する部位は、傾斜周面３１ｄである。
押し込み終了状態における周リブ３３ｃの先端の上下方向位置をＥ位置とし、傾斜周面３１ｄのＥ位置での外径を外径ＤＥ（図５参照）とする。
【００４２】
ここで、帯環部３３ａの外周面３３ａ２と周リブ３３ｃの先端との間の厚さｔ１（図５参照）の２倍と、傾斜周面３１ｄのＥ位置における外径ＤＥと、の加算値α１は、孔２ａ１の内径Ｄ５よりもわずかに大きく設定されている。
すなわち、α１＝ｔ１×２＋ＤＥ＞Ｄ５  である。
そのため、押し込み終了状態においても、周リブ３３ｃは、孔２ａ１の内周面２ａ１ａを、全周に亘り径方向外方に付勢当接する。
これにより、周リブ３３ｃと内周面２ａ１ａとの間に、全周に亘る防水ラインＢＬが形成される。
【００４３】
図１１は、キャップ３を無線機５１の筐体１から取り外す作業を説明するための部分断面図である。
ユーザは、キャップ３の装着部３ｂ２を、ポケット部１ｃから上方に引き抜くと共に、基部３ａ全体を上方に持ち上げる（矢印ＤＲ３参照）。
このとき、周リブ３３ｃは、孔２ａ１の内周面２ａ１ａを摺動する。
キャップ３が筐体１から外れたら、ユーザは、基部３ａに対し、釦本体部３１の突出部３２を上方に押し上げる（白ヌキ矢印ＤＲ４参照）。
この場合、孔２ａ１の内周面２ａ１ａで拡径変形が規制されることはないので、装着時よりも小さい力で、釦本体部３１を自然状態に戻すことができる。
【００４４】
筐体１へのキャップ３の取り付けにおいて、第１段階を終了した状態が、図１２（ａ）に示される。また、第２段階を終了した状態が図１２（ｂ）に示される。キャップ３は、第２段階を終了して防水キャップとしての正規の使用状態となる。
【００４５】
正規の使用状態で、釦本体部３１の上面３１ｅは、基部３ａの上端面３ａ５よりも距離Ｈ１だけ下方に位置する（図８参照）。そのため、キャップ３の正規使用状態において、ユーザは、無線機５１の側面視で釦本体部３１を視認できない。
従って、無線機５１の側面視において、釦本体部３１が基部３ａから上方に突出して見えていたら、正規の使用状態でないことがわかる。これにより、ユーザがキャップ３を誤使用する可能性は低減している。
【００４６】
以上詳述したキャップ３と、キャップ３の取付構造ＴＫによれば、防水ラインＢＬを形成する周リブ３３ｃが、ナット２ａの孔２ａ１の内周面２ａ１ａと摺動するのは、キャップ３を取り外すときのみである。
従って、キャップ３を繰り返し装脱しても、周リブ３３ｃの変形や破損が生じにくく、防水性能の低下が抑制される。
【００４７】
キャップ３は、釦本体部３１を押し込むことで、釦本体部３１により、周リブ３３ｃを内周面２ａ１ａに対し径方向外方へ積極的に押しつける構造を有する。
これにより、キャップ３に外力が付与しても、防水ラインＢＬが決壊（切れる）することはなく、防水性が維持される。
【００４８】
キャップ３は、正規の使用状態で、周リブ３３ｃが内周面２ａ１ａを径方向外方に付勢する。
これにより、周リブ３３ｃの内周面２ａ１ａへの付勢当接で形成される防水ラインＢＬは、容易に切れることはない。
【００４９】
キャップ３は、正規使用状態で、釦本体部３１の上面が基部３ａから突出しない。従って、釦本体部３１に外力が付与されにくく、キャップ３は容易に外れない。
【００５０】
本発明の実施例は、上述した構成に限定されるものではなく、本発明の要旨を逸脱しない範囲において変形例としてもよい。
【００５１】
キャップ３の釦本体部３１が進入する孔２ａ１は、ナット２ａに形成されていなくてもよく、ジャック２ｂを上方から臨めるよう開口している孔であればよい。
従って、孔２ａ１は、筐体１に直接形成されていてもよい。
ただし、防水ラインを良好に形成するために、周リブ３３ｃが付勢する内周面２ａ１ａは、弾性変形しにくい材質（金属など）で形成されていることが望ましい。
【００５２】
ジャック２ｂは、イヤホンマイク用に限定されるものではない。一本のプラグを挿入接続する１ＰＩＮジャックであればよい。ジャック２ｂを備えた
電子機器は、無線機５１に限定されない。電子機器には、いわゆる携帯電話及びタブレットなどの情報端末も含まれる。
キャップ３の材質は、ゴムに限定されない。樹脂（例えばポリプロピレン）であってもよい。
キャップ３を筐体１に一体的に取り付ける手段は、装着部３ｂ２とポケット部１ｃとの嵌合に限定されない。
キャップ３を筐体１側にねじ固定してもよく、周知の構造を適用してよい。
【符号の説明】
【００５３】
１  筐体
１ａ  上面、    １ｂ  左側面、    １ｃ  ポケット部
２  ジャック部
２ａ  ナット、    ２ａ１  孔、    ２ａ１ａ  内周面
２ａ２  先端面、    ２ｂ  １ＰＩＮジャック（ジャック）
３  キャップ（防水キャップ）
３ａ  基部、    ３ａｔ１，３ａｔ２  端部、    ３ａ１，３ａ２  内周面
３ａ３  下端面、    ３ａ４  下面、    ３ａ５  上端面、    ３ｂ  腕部
３ｂ１  湾曲部、    ３ｂ２  装着部、    ３ｃ  釦部
３１  釦本体部
３１ａ  下面、    ３１ｂ  外周面、    ３１ｃ  円周面
３１ｄ  傾斜周面、    ３１ｅ  上面、    ３１ｔ  周凸部
３２  突出部
３３  スカート部
３３ａ  帯環部、    ３３ａ１  内周面、    ３３ａ２  外周面
３３ｂ  連結鍔部、    ３３ｃ  周リブ
５１  無線機（電子機器）
ＢＬ  防水ライン
ＣＬ２，ＣＬ３，ＣＬ３３  中心軸線
Ｄ１，Ｄ５  内径、    Ｄ２，Ｄ３，Ｄ３ａ，ＤＥ  外径、    Ｆ  指
Ｈ１  距離、    Ｋ  屈曲部、    ＴＫ  取付構造、    ｔ１，ｔ１ａ  厚さ
Ｖｃ  空間部、    α，α１  加算値
【図１】
0006644261.tif 000002
【図２】
0006644261.tif 000003
【図３】
0006644261.tif 000004
【図４】
0006644261.tif 000005
【図５】
0006644261.tif 000006
【図６】
0006644261.tif 000007
【図７】
0006644261.tif 000008
【図８】
0006644261.tif 000009
【図９】
0006644261.tif 000010
【図１０】
0006644261.tif 000011
【図１１】
0006644261.tif 000012
【図１２】
0006644261.tif 000013